(57)【要約】【課題】設営や撤収が容易で、既製の焼香台とともに使用することが可能な焼香台空気浄化装置の実現を課題とする。【解決手段】焼香時に香炉１から立ち昇る煙を吸引して浄化する空気浄化ユニットや吸引ファンなどからなる煙浄化部と、この煙浄化部へ香炉１からの煙を導く集煙壁２とスリット３および集煙壁２内部の通煙路からなる導煙部と、この導煙部と香炉１とを載置し内部に煙浄化部を収納する台板部４とを有することを特徴とする。【選択図】    図１
2004181070.tif 000002
【特許請求の範囲】
【請求項１】
焼香時に香炉から立ち昇る煙を吸引して浄化する煙浄化部と、
この煙浄化部へ前記香炉からの煙を導く導煙部と、
この導煙部と前記香炉とを載置し内部に前記煙浄化部を収納する台板部と
を有することを特徴とする焼香台空気浄化装置。
【請求項２】
前記煙浄化部は、消煙手段と消臭手段とからなる空気浄化ユニットと、空気吸引手段とを具備することを特徴とする請求項１に記載の焼香台空気浄化装置。
【請求項３】
前記導煙部は前記香炉からの煙を集める集煙壁と、この集煙壁上部に設けられた吸煙スリットと、前記集煙壁の内部に設けられ、この吸煙スリットと前記煙浄化部とを連通する煙通路とを具備することを特徴とする請求項１または請求項２に記載の焼香台空気浄化装置。
【発明の詳細な説明】
【０００１】
【発明の属する技術分野】
本発明は、焼香時に発生する煙を吸引して浄化する焼香台空気浄化装置に関する。
【０００２】
【従来の技術】
葬儀や法要時に行なわれる焼香の煙が辺りに広がると、列席者が煙かったり、列席者の衣服や室内にその匂いが染み付くなどで不快感の原因になり、ホテルなどの公共に用いられる施設では、その部屋をしばらくは他の用途に使い難くなるなどの問題が生まれる。
このような問題を解決するため、焼香用の空気浄化装置が提案されている。例えば、図４に示す例は、香炉１０２が置かれている焼香台１０３の天板１０１の下部に、焼香時に発生する煙を吸引して浄化する煙浄化部１０４が着脱自在に設けられ、天板１０１の上面には、香炉１０２から立ち昇った煙をこの煙浄化部１０４に導くための導煙部１０５が着脱自在に載置される。この導煙部１０５は、香炉１０２の後方の左右の側方および上方を囲み上部に通気口１０７が形成された集煙壁１０６と、この集煙壁１０６の通気口１０７と煙浄化部１０４とを連通する導煙筒１０８からなっている（特許文献１参照。）。
また、図５に示す例は、前面に本体側吸込口２０１を設け、前面以外にこの本体側吸込口２０１に連通する本体側吹出口２０２を設け、さらに一面に着脱自在な扉２０４を設けた開口部を設け、下面に焼香用の香炉２０５が置かれる香炉台板２０６とが設けられる本体ケース２０７と、この本体ケース２０７を所定の高さに支持する支持脚２０８と、空気を本体ケース２０７内に本体側吸込口２０１から吸い込み、本体側吹出口２０２から吹出すように設けられた送風手段２１０と、送風手段２１０により吸気された煙を浄化するように設けられた高捕集フィルターと脱臭フィルターとからなるフィルター手段とを設けた空気清浄ユニット２０９を備え、本体ケース２０７の本体側吸込口２０１が焼香用の香炉２０５の後方に位置するように配置される（特許文献２参照。）。
【０００３】
しかしながら、これらの焼香用の空気浄化装置は、装置が複数の部材に分かれており、そのために、運送、設営、撤収の面で手間がかかるという問題がある。図４の前者の例では、装置は焼香台１０３と、煙浄化部１０４と、導煙部１０５とに分かれ、設営時には焼香台１０３の天板１０１の穴の上下に導煙部１０５と煙浄化部１０４とを別々に取り付けなければならず、撤収時にはこれらを解体せねばならない。また、図５の後者の例では、装置は本体ケース２０７と、支持脚２０８と、空気清浄ユニット２０９に分かれ、空気清浄ユニット２０９はあらかじめ本体ケース２０７内に収納しておけるとしても、少なくとも本体ケース２０７と支持脚２０８との取り付けと解体は行なわなければならない。
【０００４】
一般に通夜や葬儀の際の設営や撤収は、参列者の感情や会場の問題が絡むため、できるだけ短時間に手際よく行なわなければならない。その意味で、装置が複数の部材に分かれていて、会場で結合や解体の作業が必要である装置はあまり好ましくない。
さらに、一般に葬祭業者は例えば、図６に一例を示すような既製の焼香台３０２を持っている。このような既製の焼香台３０２は、香炉３０１や香入れ３０６を載せる天板３０４と、天板３０４を所定の高さに支える脚部３０５からできている。このような既製の焼香台３０２は、種々の会場や葬儀の宗派に適するように考えられて種々用意されており、大きさや高さなどが大体決まっていて、運送などにも適した形になっている。したがって、このような既製の焼香台３０２を使うようにすれば、会場の変更や、葬儀の宗派への対応、立って焼香するか座って行なうかなどの条件に比較的容易に適合することができる。
しかしながら、以上に述べた従来の空気浄化装置の例では、前者の焼香台の脚１０９、後者の支持脚２０８とも、独自の物であって、既製の机、台などに載置して用いるようには構成されていない。このため、種々の条件の変更に簡単には対処できないという問題を有している。
【０００５】
【特許文献１】
特許第２９２２８０９号公報  （第２−３頁、第１図）
【特許文献２】
特開２００２−１１０８８号公報  （第２−４頁、第１図）
【０００６】
【発明が解決しようとする課題】
上述のごとく、従来の焼香台空気浄化装置は、構成が複数の部材に分かれており、会場での組み立てや分解が必要であるため、設営や撤収に時間が必要であるという問題があった。また、特別な脚部を必要とするため、既製の焼香台上では使えないという問題があった。
本発明は、比較的簡単にこの問題を解決して、設営や撤収が容易で、既製の焼香台とともに使用することが可能な焼香台空気浄化装置の実現を課題とする。
【０００７】
【課題を解決するための手段】
上記課題を達成するため、本発明の焼香台空気浄化装置は、焼香時に香炉から立ち昇る煙を吸引して浄化する煙浄化部と、この煙浄化部へ前記香炉からの煙を導く導煙部と、この導煙部と前記香炉とを載置し内部に前記煙浄化部を収納する台板部とを有することを特徴とする。
これにより、香炉からの煙を吸引して台板部の内部で浄化することができ、設営や撤収が容易で、既製の焼香台の上に重ねておいて使用することができ、煙や匂いが残らないようにすることができる焼香台空気浄化装置を実現することができる。
【０００８】
また、前記煙浄化部は、消煙手段と消臭手段とからなる空気浄化ユニットと、空気吸引手段とを具備することを特徴とする。
これにより、煙と匂いをそれぞれ除去することが可能な焼香台空気浄化装置を実現することができる。
【０００９】
さらに、前記導煙部は前記香炉からの煙を集める集煙壁と、この集煙壁上部に設けられた吸煙スリットと、前記集煙壁の内部に設けられ、この吸煙スリットと前記煙浄化部とを連通する煙通路とを具備することを特徴とする。
これにより、香炉からの煙を十分な吸煙力で集めて浄化することが可能な焼香台空気浄化装置を実現することができる。
【００１０】
【発明の実施の形態】
以下、本発明にかかる焼香台空気浄化装置を添付図面を参照にして詳細に説明する。
【００１１】
図１に、本発明の焼香台空気浄化装置の一実施の形態の外観図を、また、図２にこの実施の形態の集煙壁中央部での断面図を示す。図１の外観図は、３組型の焼香台空気浄化装置の例を示しており、この装置は図６に示すような通常の焼香台３０２の上に重ねて用いられる。
図１および図２において、符号１は香炉、符号２は集煙壁、符号３は吸煙スリット、符号４は台板部、符号５は煙通路、符号６はフィルタ、符号７は空気浄化ユニット、符号８は吸引ファン、符号９は電源部、符号１０は排気口、符号１１は香入れである。なお、フィルタ６、空気浄化ユニット７、吸引ファン８、電源部９および排気口１０とで請求項１に述べた煙浄化部を形成し、台板部４内に収納される。また、集煙壁２と吸煙スリット３と煙通路５とで請求項１に述べた導煙部を形成する。
【００１２】
この焼香台空気浄化装置は、使用する場合には通常の焼香台（図６の３０２）の上に置かれる。そうして、台板部４に固定された集煙壁２の前に香炉１が置かれ、集煙壁２は香炉１を半円周形に取り囲む形となる。
この集煙壁２の内部には下方に向かう煙通路５が設けられている。台板部４は中空に構成されており、この集煙壁２の下部にあたる部分には、フィルタ６および空気浄化ユニット７を介して吸引ファン８に通じる空気の通路の入り口となる開口が煙通路５に対応するように設けられている。
電源が入ると吸引ファン８は空気の吸引をはじめ、これによって焼香時に香入れ１１から摘ままれ、香炉１の火種上にくべられた香が出す煙は、集煙壁２の上部に設けられたスリット３から煙通路５に吸引され、煙通路５を下向きに通って煙浄化部へと向かう。
煙浄化部に入った煙を含む空気は、まず、フィルタ６を通過する際に、比較的大きい煙粒子が除去される。フィルタ６は、例えば、金網や繊維のネットなどで構成される。続いて、空気浄化ユニット７を通過して消煙と消臭が行なわれる。空気浄化ユニット７は、例えば、不織布などから構成される消煙フィルタと、活性炭素繊維などから構成される消臭フィルタの組み合わせからできており、煙の粒子を捕捉して煙と匂いをなくす役割を果たしている。
【００１３】
さらに、空気浄化ユニット７を通過した空気は、吸引ファン８に吸い込まれて、排気口１０から焼香台の後部へと排出される。吸引ファン８のモータはＡＣ電源コードから入力される商用電源から電力を得る電源部９によって駆動される。電源部９は全吸引ファン８に対して共通に用いることができる。台板部４の厚みが薄い（例えば６０〜８０ｍｍ）ので、吸引ファン８の直径もそれに応じて比較的小さくなる。このため、吸引力が充分でなければ、吸引ファン８を多翼のものにしたり、吸引ファン８の数を例えば１香炉あたり２台にするなど増やすこともできる。
【００１４】
空気浄化ユニット７は、吸引ファン８とともに後方へ引き出すか、台板部４の下部を開いて取り出せるように構成することで、汚れたり、消煙、消臭能力が低下した場合に容易に新しいものと取り替えることができる。
【００１５】
図３に、１組型の本発明の焼香台空気浄化装置の外観図を示す。１組型のものも、電源部９がそれぞれに設けられている以外、基本的には図１に示す３組型のものと同一であり、機能も使用方法も変りはない。この型のものは、図６に示した３組型の通常の焼香台３０２の上に３台並べて置いて用いても良いし、１組型の焼香台の上にそれぞれ置いて用いてもよい。
【００１６】
以上、本発明を実施の形態にそって説明したが、本発明はこの実施の形態に限られるものではなく、本発明の主旨に反しない範囲で種々の対応が考えられる。例えば、以上の説明で、集煙壁２は台板部４に固定したものとして説明したが、取り付け取り外しが容易であれば着脱可能であってもよい。
【００１７】
【発明の効果】
以上実施の形態にそって説明したように、本発明の焼香台空気浄化装置は、焼香時に香炉から立ち昇る煙を吸引して浄化する煙浄化部と、この煙浄化部へ香炉からの煙を導く導煙部と、この導煙部と香炉とを載置し内部に煙浄化部を収納する台板部とを有している。
これにより、香炉からの煙を吸引して台板部の内部で浄化することができ、設営や撤収が容易で、既製の焼香台上に置いて使用することができ、周囲に煙や匂いが残らないようにすることが可能な焼香台空気浄化装置を実現することができる。
【００１８】
また、煙浄化部は、消煙手段と消臭手段とからなる空気浄化ユニットと、空気吸引手段とを具備することを特徴とする。
これにより、煙と匂いを吸引しそれぞれを充分に除去することが可能な焼香台空気浄化装置を実現することができる。
【００１９】
さらに、導煙部は香炉からの煙を集める集煙壁と、この集煙壁上部に設けられた吸煙スリットと、集煙壁の内部に設けられ、この吸煙スリットと煙浄化部とを連通する煙通路とを具備することを特徴とする。
これにより、香炉からの煙を十分な吸引力で効率よく集めて浄化することが可能な焼香台空気浄化装置を実現することができる。
【図面の簡単な説明】
【図１】本発明の焼香台空気浄化装置の一実施の形態の外観図。
【図２】図１に示す実施の形態の集煙壁中央部での側断面図。
【図３】本発明の焼香台空気浄化装置の他の実施の形態の外観図。
【図４】従来の焼香用空気浄化装置の側断面図。
【図５】他の従来の焼香用空気浄化装置の側断面図。
【図６】従来の焼香台の上面図および側面図。
【符号の説明】
１      香炉
２      集煙壁
３      吸煙スリット
４      台板部
５      煙通路
６      フィルタ
７      空気浄化ユニット
８      吸引ファン
９      電源部
１０    排気口
１１    香入れ
１０１  天板
１０２  香炉
１０３  焼香台
１０４  煙浄化部
１０５  導煙部
１０６  集煙壁
１０７  通気口
１０８  導煙筒
２０１  本体側吸込口
２０２  本体側吹出口
２０４  扉
２０５  香炉
２０６  香炉台板
２０７  本体ケース
２０８  支持脚
２０９  空気清浄ユニット
２１０  送風手段
３０１  香炉
３０２  焼香台
３０４  天板
３０５  脚部
３０６  香入れ
【図１】
2004181070.tif 000003
【図２】
2004181070.tif 000004
【図３】
2004181070.tif 000005
【図４】
2004181070.tif 000006
【図５】
2004181070.tif 000007
【図６】
2004181070.tif 000008